(57)【特許請求の範囲】
【請求項１】
部品本体に異なる高さを持つ複数の端子部を備えた電子部品の梱包装置であって、前記端子部を覆い、弾性をもって部品本体を保持するとともに、梱包するために部品本体を整列させた状態の端子部の配置に適合した位置であって、前記端子部間のほぼ１／２の間隔で形成された切込み部を形成した導電性部材を備え、この導電性部材の切込み部に前記異なる高さを持つ複数の端子部を挿入し、端子部間を電気的に短絡させて部品本体を梱包する電子部品の梱包装置。
【発明の詳細な説明】
【０００１】
【発明の属する技術分野】
本発明は、電荷を蓄積する電解コンデンサ等の電子部品の梱包方法及び梱包装置に関する。
【０００２】
【従来の技術】
電解コンデンサは、アルミニウム等の弁作用金属箔の表面を粗面化し、その表面に陽極酸化皮膜を形成して陽極箔とし、粗面化したアルミニウム箔等で陰極箔とし、これら陽極箔及び陰極箔の間にセパレータを介在させて巻回することによりコンデンサ素子を構成し、このコンデンサ素子に駆動用電解液を含浸させて有底円筒状の外装ケース内に収納し、その開口部を封口体で封止したものである。封口体を貫通して固定された陽極側端子及び陰極側端子には、コンデンサ素子から導出された陽極側内部リードと陰極側内部リードが外装ケース内で個別に接続されている。
【０００３】
ところで、この電解コンデンサには、製品の特性を安定化させるため、製造工程で、外部端子間に一定電圧を印加した後、両端子間に抵抗器等を介在させて短絡させ、コンデンサ素子の蓄積電荷の放電処理が行われている。コンデンサ素子内の電荷の大半はこの放電処理で消失するものの、電解コンデンサは放電後に時間経過により一定電圧まで復帰する自己修復作用があることが知られ、その復帰電圧はその定格電圧や容量に応じた値となる。
【０００４】
この復帰電圧が低い場合には無視できるものの、その値が大きくなると、電子回路を構成する基板等に実装した際に、他の電子部品に電流を流すおそれがあり、外部端子に触れて感電する等の不都合を無視できない。このような不都合の解消方法として、梱包中に外部端子間に金属箔等を当て、電解コンデンサの電圧復帰を阻止する等の対策が講じられてきた。あるいは、特開平１１−１４５００１号公報に記載された発明のように、陽極側外部端子と陰極側外部端子に、陽極側外部端子と陰極側外部端子間を短絡させてエージング後の復帰電圧を放電させる導電性キャップ（カーボンを含有する樹脂成型品）を着脱自在に取り付けていた。
【０００５】
【発明が解決しようとする課題】
ところで、陽極と陰極とを備える有極性電子部品である電解コンデンサは、図１に示したように、陽極側端子４と陰極側端子５との高さを異ならせて突出させ、極性判別の容易化を図っており、このような電子部品では、外部端子の高さが異なるため、短絡すべき外部端子間に金属箔が未接触となり、電解コンデンサ１の電圧復帰を阻止することができなかった。
【０００６】
また、カーボンを含有する樹脂成型品などからなる導電性キャップを外部端子に取り付けるものでは、高さの異なる外部端子を備えた電子部品に適用するには、異なる高さに適合した樹脂成型品を作製しなければならず、汎用性において最適とは言い難い。
【０００７】
そこで、本発明は、電解コンデンサ等の電子部品が持つ電圧復帰現象を抑制するとともに、蓄積電荷を速やかに放電可能にした電子部品の梱包装置を提供することを課題とする。
【０００８】
【課題を解決するための手段】
本発明は、係る課題を解決するため、部品本体に異なる高さを持つ複数の端子部を備えた電子部品の梱包装置であって、前記端子部を覆い、弾性をもって部品本体を保持するとともに、梱包するために部品本体を整列させた状態の端子部の配置に適合した位置に切込み部を形成した導電性部材を備え、この導電性部材の切込み部に前記異なる高さを持つ複数の端子部を挿入し、端子部間を電気的に短絡させて電荷を放電させ、電解コンデンサ等の電子部品が持つ電圧復帰現象の抑制と、蓄積電荷を速やかに放電可能にしたものである。
【０００９】
本発明の電子部品の梱包装置は、部品本体に異なる高さを持つ複数の端子部を備えた電子部品の梱包装置であって、前記端子部を覆い、弾性をもって部品本体を保持するとともに、梱包するために部品本体を整列させた状態の端子部の配置に適合した位置に切込み部を形成した導電性部材を備え、この導電性部材の切込み部に前記異なる高さを持つ複数の端子部を挿入し、端子部間を電気的に短絡させて部品本体を梱包することを特徴とする。すなわち、弾性をもって部品本体を保持する導電性部材に切込み部を形成し、この切込み部に高さの異なる端子部を挿入することにより、この端子部がそれぞれ異なる高さに応じて切込み部に挿入され、なおかつ部品本体と同様に弾性をもって密接するように接触し、端子間が電気的に短絡される。
【００１０】
また、本発明の電子部品の梱包装置は、前記端子部間のほぼ１／２の間隔で形成された切込み部を形成した導電性部材を備えたことを特徴としている。すなわち、導電性部材の切込み部は、梱包するために整列させた状態における部品本体の端子部の配置に適合した位置、換言すれば、導電性部材が弾性をもって部品本体を保持するにあたり端子部を挿入し得る位置に形成すればいいが、端子部間のほぼ１／２の間隔に形成すると、導電性部材の切込み部と端子部との位置が合致し易くなる。
【００１１】
【発明の実施の形態】
以下、本発明及びその実施の形態を図面に示した実施例を参照して詳細に説明する。
【００１２】
図１ないし図３は本発明の電子部品の梱包方法及び梱包装置の第１実施例を示し、図１は梱包対象である電解コンデンサ、図２は電解コンデンサの梱包状態、図３は梱包装置である導電性部材の部分断面斜視図を示している。
【００１３】
梱包すべき電子部品として例えば、有極性電子部品である電解コンデンサ（部品本体）１は、極性判別のため、高さの異なる端子として陽極側端子４と、陰極側端子５（端子部）とが部品本体である電解コンデンサ１の外装ケース３の開口部に装着する封口部６に固着されている。陽極側端子４、陰極側端子５は、外装ケース３内に収納されたコンデンサ素子２の陽極側及び陰極側の内部リード７に電気的に接続されている。
【００１４】
梱包対象である電解コンデンサ１の上側、すなわち陽極側端子４と陰極側端子５が配置された側には、導電性部材８を配置する。この導電性部材８は、導電性材料からなる発泡樹脂等で作製され、電解コンデンサ１の上側に配置するとともに一定の圧力をもって押さえ、その状態で例えば梱包箱などに収納することにより、導電性部材８の弾性によって梱包箱内で電解コンデンサ１に密接する。
【００１５】
このとき、電解コンデンサ１の陽極側端子４と陰極側端子５とは、導電性部材８に形成した切込み部９にそれぞれ個別に挿入され、電解コンデンサ１と同様に導電性部材８に密接することになる。切込み部９に挿入され、それぞれが導電性部材８に密接した陽極側端子４と陰極側端子５とは、電気的に短絡されて電荷を放電し、電解コンデンサ１が持つ電圧復帰現象を抑制し、蓄積電荷を放電することができる。
【００１６】
また、高さの異なる陽極側端子４と陰極側端子５とを備えた電解コンデンサ１を、導電性部材８の弾性をもって保持する場合、端子部での反発力が異なり、導電性部材８に偏りが生ずるが、この実施例では、切込み部９に陽極側端子４と陰極側端子５とがそれぞれ挿入されるためそのような偏りもない。
【００１７】
この実施例では、導電性部材８に十字状の切込み部９が、導電性部材８の表裏にわたって形成されている。この実施例のように構成すれば、導電性部材８の切込み部９が陽極側端子４と陰極側端子５とにそれぞれ４方向から密着し、梱包すべき電解コンデンサ１等の電子部品の収容作業が容易になる。
【００１８】
図４ないし図６は、それぞれこの発明の別の実施例において用いる導電性部材８を示す部分断面斜視図で、図４のように、切込み部９を、第１の実施例のように十字状とすることなく一文字状としている。また図５に示した実施例では、切込み部９を格子状に形成し、なおかつ導電性部８のほぼ中央部までの切込み部９とした。また図６に示した実施例では、切込み部９を円形状とし、導電性部８のほぼ中央部までの切込み部９とした。図３ないし図６に示した導電性部材８は、それぞれ陽極側端子４、陰極側端子５の形状、大きさ、また各端子間の距離などの仕様によって適宜選択すればよく、これ以外の形状であっても、陽極側端子４と陰極側端子５とが適切に挿入される形状であればよい。
【００１９】
なお、図３ないし図６示した実施例では、導電性部材８に設けた切込み部９を、電解コンデンサ１の陽極側端子４と陰極側端子５との間隔に応じて設けたが、図７に示した別の実施例のように、導電性部材８に、電解コンデンサ１の陽極側端子４と陰極側端子５の間隔ａの約１／２の間隔ｂに切込み部９を設けてもよい。この実施例によれば、電解コンデンサ１の陽極側端子４、陰極側端子５の形状、大きさ、また各端子間の距離などの仕様に対応し易くなり、また梱包する電解コンデンサ１の数量や配置に対応させることが容易になる。
【００２０】
【発明の効果】
以上説明したように、本発明によれば、次の効果が得られる。
（１）弾性をもって部品本体を保持する導電性部材に切込み部を形成し、この切込み部に高さの異なる端子部を挿入することにより、この端子部がそれぞれ異なる高さに応じて切込み部に挿入され、なおかつ部品本体と同様に弾性をもって密接するように接触するので、端子部間を導電性部材で確実に短絡させることができ、電圧復帰の現象の発生を防止できるとともに、残存する電荷を放電させることができ、電子回路に実装した際に、他の電子部品に電流を流すことがなく、作業者が端子部に触れて感電することもない。
【００２１】
（２）導電性部材に弾性を持たせることで、部品本体の保持とともに、端子部間の電気的な短絡状態を維持することができる。
【００２２】
（３）高さの異なる端子部を、それぞれの高さに応じて導電性部材の切込み部に挿入することができるので、端子間の高低差が異なる仕様の電子部品にも同じ導電性部材を汎用的に用いることができる。
【００２３】
（４）導電性部材の切込み部は、梱包するために整列させた状態における部品本体の端子部の配置に適合した位置、換言すれば、導電性部材が弾性をもって部品本体を保持するにあたり端子部を挿入し得る位置に形成すればよく、端子部間のほぼ１／２の間隔に形成すると、導電性部材の切込み部と端子部との位置が合致し易くなり、梱包する電子部品の数量や配置に応じて汎用的に用いることができる。
【図面の簡単な説明】
【図１】本発明の電子部品の梱包装置の実施例である電解コンデンサの外観形態を示す側面図である。
【図２】本発明の電子部品の梱包装置の実施例である電解コンデンサの梱包状態を示す縦断面図である。
【図３】導電性部材の実施例を示す部分断面斜視図である。
【図４】導電性部材の実施例を示す部分断面斜視図である。
【図５】導電性部材の実施例を示す部分断面斜視図である。
【図６】導電性部材の実施例を示す部分断面斜視図である。
【図７】本発明の電子部品の梱包装置の他の実施例である電解コンデンサの梱包状態を示す縦断面図である。
【符号の説明】
１  電解コンデンサ（部品本体）
２  コンデンサ素子
３  外装ケース
４  陽極側端子（端子部）
５  陰極側端子（端子部）
６  封口板
７  内部リード
８  導電性部材
９  切込み部
【図１】
0004645780.tif 000002
【図２】
0004645780.tif 000003
【図３】
0004645780.tif 000004
【図４】
0004645780.tif 000005
【図５】
0004645780.tif 000006
【図６】
0004645780.tif 000007
【図７】
0004645780.tif 000008